(57)【特許請求の範囲】
【請求項１】
送信と受信とが切り替わるポートを持ったＬＡＮ用の通信装置において、
矩形パルスを送受信するための送受信手段と、
外部の対抗機と接続するための接続手段と、
リンク・パルスと呼ばれるパルス信号を送出することによりセグメントの接続状態を監視するリンク・テスト手段と、
前記リンク・パルスを検知していない場合、現在接続されている抵抗を切り替えて前記リンク・パルスを検知することで通信が確立される切替手段と、
を備えたことを特徴とする通信装置。
【請求項２】
前記選択手段は、
一端が前記コネクタ側に接続された複数の抵抗と、
可動接点に前記送受信手段のポートが接続され、一方の固定接点が前記各抵抗の他端に接続され、他方の固定接点が前記コネクタ側に接続され、制御信号により接続状態が制御される複数の単極双投スイッチと、
前記各単極双投スイッチの接続状態を制御する制御手段と、
を備えたことを特徴とする請求項１記載の通信装置。
【請求項３】
前記選択手段は、
一端が前記コネクタ側に接続された複数の抵抗と、
可動接点に前記送受信手段が接続され、一の固定接点が前記コネクタ側に接続され、他の複数の固定接点が前記各抵抗に接続され、制御信号により接続状態が制御される複数の単極多投スイッチと、
前記各単極双投スイッチの接続状態を制御する制御手段と、
を備えたことを特徴とする請求項１記載の通信装置。
【請求項４】
前記選択手段は、
一端が前記送受信手段に接続され、他端が前記コネクタ側に接続され、制御信号により前記一端と前記他端との間の抵抗値が変化する複数の可変抵抗と、
前記可変抵抗の抵抗値を制御する制御手段と、
を備えたことを特徴とする請求項１記載の通信装置。
【請求項５】
前記制御手段は、受信時のみ抵抗値を切り替えることを特徴とする請求項１から４の何れか一項記載の通信装置。
【発明の詳細な説明】
【技術分野】
【０００１】
本発明は、通信装置に関する。
【背景技術】
【０００２】
ＬＡＮ(Local Area Network)通信装置の送信信号及び受信信号は、人体に不都合な電磁波を放出するとされている。しかし電磁波の放出量を抑止するため抵抗器を挿入する等の対策を施すと信号の品質が劣化してしまう。ＬＡＮ通信装置にはストレートケーブルとクロスケーブルとを自動認識する機能を有するものがあり、この場合には通信ポートを送信信号から受信信号に切り分けている。よって、通信ポートにつながる回路は受信信号と送信信号との両方で共用される。受信信号は通信相手との間のケーブル等を通過する際に劣化しており、電磁波の量及び信号品質が送信信号より低くなっている。つまり、送信信号及び受信信号に対して要求される電磁波抑止のレベルが異なっている。
【０００３】
図６は、通信ポートの送受信機能が固定されている一般的なＬＡＮ通信装置のブロック図であり、図７は、図６に示したＬＡＮ通信装置に用いられているＬＡＮコントローラ１６０−１のブロック図である。
図６に示す送受信手段としてのＬＡＮ通信装置２００−１が、外部の対抗機２０１にＬＡＮケーブルを介してＬＡＮコネクタ１１１で接続されている。
ＬＡＮ通信装置２００−１は、ＬＡＮケーブルに接続されるＬＡＮコネクタ１１１、ＬＡＮコネクタに接続されたパルストランス１１０、ＬＡＮコントローラ１６０−１、及びパルストランス１１０とＬＡＮコントローラ１６０−１との間に挿入された抵抗Ａ（１０６、１０７）、抵抗Ｂ（１０８、１０９）で構成されている。
【０００４】
図７に示すＬＡＮコントローラ１６０−１は、信号をエンコードするエンコーダ１２０、エンコーダ１２０に接続された送信部１２３、及び送信部１２３に接続されたポートＡ（＋及び−）１２７を有する送信系と、信号を受信するポートＢ（＋及び−）１２８、ポートＢ（＋及び−）１２８に接続された受信部１２４、及び受信した信号をデコードするデコーダ１２１を有する受信系とで構成されている。
【０００５】
ＬＡＮ通信装置２００−１の構成では、ＬＡＮコントローラ１６０−１の通信ポート（ＴＸ＋、ＴＸ−、ＲＸ＋、ＲＸ−）は、ＴＸ(送信信号)、及びＲＸ（受信信号）にそれぞれ固定して割り当てられており、電磁波対策の抵抗Ａ（１０６、１０７）、抵抗Ｂ（１０８、１０９）の抵抗値は、受信信号用の抵抗Ｂ（１０８、１０９）の方が送信信号用の抵抗Ａ（１０６、１０７）より小さい。この抵抗値は大きくする程、信号が鈍るだけでなく信号振幅も減少することで、信号品質が悪化していくが、信号の立ち上がりが急峻で、振幅が大きいほど放出される量が増える性質を有する電磁波を抑止することができる。
【０００６】
通信ポート（ＴＸ＋、ＴＸ−、ＲＸ＋、ＲＸ−）が送信受信固定の構成では、予め抵抗Ａ（１０６、１０７）、抵抗Ｂ（１０８、１０９）をそれぞれ送信・受信に各々最適に割り当てることが可能である（例えば、特許文献１参照。）。
【発明の概要】
【発明が解決しようとする課題】
【０００７】
図８は、通信ポートの送受信機能を切り替えることが可能なＬＡＮ通信装置のブロック図であり、図９は、図８に示したＬＡＮ通信装置に用いられるＬＡＮコントローラのブロック図である。以下、図６、図７に示した部材と同様の部材には共通の符号を用いた。
図８に示す通信装置２００−２は、図示しないＬＡＮケーブルに接続されるＬＡＮコネクタ１１１、ＬＡＮコネクタ１１１に接続されたパルストランス１１０、ＬＡＮコントローラ１６０−２、及びパルストランス１１０とＬＡＮコントローラ１６０−２との間に挿入された抵抗Ａ（１０６、１０７）、抵抗Ｂ（１０８、１０９）で構成されている。
【０００８】
図９に示すＬＡＮコントローラ１６０−２は、エンコーダ１２０、送信部１２３、ポートＡ（＋及び−１２７）、ポートＢ（＋及び−）１２８、受信部１２４、及びデコーダ１２１の他、ＰＨＹ(Physical：物理)コントローラ１２２、及び単投双極型の切替スイッチ１２５、１２６を有する。切替スイッチ１２５、１２６は、共通端子１２５−１、１２６−１が図では中立となっているが、送受信切替信号により一方の端子１２５−２、１２６−２か他方の端子１２５−３、１２６−３のいずれかの端子に接続されるようになっている。例えば、ポートＡ（＋及び−）を送信用とし、ポートＢ（＋及び−）を受信用とする場合、切替スイッチ１２５の共通端子１２５−１は上側の端子１２５−２に接続され、切替スイッチ１２６の共通端子１２６−１は下側の端子１２６−３に接続される。これに対して、ポートＡ（＋及び−）を受信用とし、ポートＢ（＋及び−）を送信用とする場合、切替スイッチ１２５の共通端子１２５−１は下側の端子１２５−３に接続され、切替スイッチ１２６の共通端子１２６−１は上側の端子１２６−２に接続され。
【０００９】
ここで、ＬＡＮの規格では定義されていないが、信号の配列が異なるＬＡＮケーブル（ストレートケーブルとクロスケーブル）を自動判別し、自動で両方に対応する為、昨今、ＬＡＮコントローラメーカが独自で構築している技術で、ポート（ＡとＢ）の送信・受信を自動切換えし、通信を確立する。受信時の信号品質を確保し、且つ送信信号の電磁波を十分抑止する抵抗値の決定は難しい。特に受信信号は対抗機が送信する信号品質及びケーブル長による劣化で、送信信号の電磁波抑止に注力して値を決定すると、ケーブル長、対抗機の組合せによっては十分な受信信号の信号品質が確保できず、通信を確立できないこともある。
【００１０】
このため、抵抗Ａ（１０６、１０７）及び抵抗Ｂ（１０８、１０９）を採用せず、ＥＭＩ(electromagnetic interference：電磁妨害雑音)フィルタを採用することが知られている（例えば、特許文献２参照。）。
安価な方法として、抵抗を電磁波抑止の対策として効果的である事もよく知られているが、信号をなまらせて信号品質を極度に悪化させる為、受信信号に使うことが難しい。受信信号はユーザが使用するケーブル長、ユーザとの通信先の装置が出力する送信信号の信号品質の影響を大きく受け、これらの組合せはユーザ環境において無数にあり、抵抗で最適な信号の訛らせ具合を決定することは困難を極める。その点、ＥＭＩフィルタは信号の通過周波数を制限する為、簡単に実現は可能である。ただし、抵抗の方法に対して、コストが掛かるという問題がある。
【００１１】
そこで、本発明の目的は、送信・受信時に共用する電磁波対策を最適に運用し、且つ安価に構成することができる通信装置を提供することにある。
【課題を解決するための手段】
【００１２】
上記課題を解決するため、請求項１記載の発明は、送信と受信とが切り替わるポートを持ったＬＡＮ用の通信装置において、矩形パルスを送受信するための送受信手段と、外部の対抗機と接続するための接続手段と、リンク・パルスと呼ばれるパルス信号を送出することによりセグメントの接続状態を監視するリンク・テスト手段と、前記リンク・パルスを検知していない場合、現在接続されている抵抗を切り替えて前記リンク・パルスを検知することで通信が確立される切替手段と、を備えたことを特徴とする。
【発明の効果】
【００１７】
本発明によれば、送受信の切替に連動して矩形パルスをなまらせるための抵抗を通る経路もしくは抵抗を通らない経路を選択することにより、無数にあるネットワーク環境に対応した最適な電磁波抑止がなされるので、送信・受信時に共用する電磁波対策を最適に運用し、且つ安価に構成することができる通信装置の提供を実現することができる。
【図面の簡単な説明】
【００１８】
【図１】（ａ）は、本発明に係る通信装置の一実施の形態を示すブロック図であり、（ｂ）は、（ａ）に示したスイッチの説明図である。
【図２】（ａ）は、図１に示した通信装置に用いられるＬＡＮコントローラ１０１−１のブロック図であり、（ｂ）は、（ａ）の送信部側の切替スイッチの回路図の一例であり、（ｃ）は、（ａ）の受信部側の切替スイッチの回路図の一例である。
【図３】本発明に係る通信装置の動作を説明するためのフローの一例である。
【図４】（ａ）は、本発明に係る通信装置の他の実施形態を示すブロック図であり、（ｂ）は、（ａ）に用いられるロータリースイッチの回路図の一例である。
【図５】本発明に係る通信装置の他の実施形態を示すブロック図である。
【図６】通信ポートの送受信機能が固定されている一般的なＬＡＮ通信装置のブロック図である。
【図７】図６に示したＬＡＮ通信装置に用いられているＬＡＮコントローラ１６０−１のブロック図である。
【図８】通信ポートの送受信機能を切り替えることが可能なＬＡＮ通信装置のブロック図である。
【図９】図８に示したＬＡＮ通信装置に用いられるＬＡＮコントローラのブロック図である。
【発明を実施するための形態】
【００１９】
＜実施形態１＞
［構  成］
図１（ａ）は、本発明に係る通信装置の一実施の形態を示すブロック図であり、図１（ｂ）は、図１（ａ）に示したスイッチの説明図である。図２は、図１（ａ）に示した通信装置に用いられるＬＡＮコントローラのブロック図である。
図１（ａ）に示す通信装置１００−１は、図示しないＬＡＮケーブルに接続される接続手段としてのＬＡＮコネクタ１１１と、ＬＡＮコネクタ１１１に接続されたパルストランス１１０と、送受信手段としてのＬＡＮコントローラ１０１と、パルストランス１１０とＬＡＮコントローラ１６０−２との間に挿入され、ＬＡＮコントローラ１０１の送受信の切替に連動して矩形パルスをなまらせるための抵抗を通る経路もしくは前記抵抗を通らない経路を選択する選択手段としての切替スイッチ１０２〜１０５と、切替スイッチ１０２〜１０５に接続された抵抗Ａ（１０６、１０７）及び抵抗Ｂ（１０８、１０９）と、で構成されている。
但し、抵抗Ａ（１０６、１０７）の抵抗値＞抵抗Ｂ（１０８、１０９）の抵抗値＞０とする。
【００２０】
切替スイッチ１０２〜１０５は、単極双投型の切替スイッチであり、送受信切替信号により個別に切り替えることができるようになっている。切替スイッチ１０２は、例えば、図１（ｂ）に示すように例えば、インバータ１０２ａと、二つのアナログスイッチ１０２ｂ、１０２ｃとで構成されるがリレーを用いてもよい。各切替スイッチ１０２〜１０５は送受信信号により個別に切替制御できるようになっているため、共通端子が図では中立状態で表示されている。
【００２１】
切替スイッチ１０２の共通端子１０２−１は、ＬＡＮコントローラ１０１のポートＡ＋に接続され、切替スイッチ１０３の共通端子１０３−１はＬＡＮコントローラ１０１のポートＡ−に接続されている。切替スイッチ１０４の共通端子１０４−１はＬＡＮコントローラ１０１のポートＢ＋に接続され、切替スイッチ１０５の共通端子１０５−１はＬＡＮコントローラ１０１のポートＢ−に接続されている。
【００２２】
切替スイッチ１０２の一方（例えば上側）の端子１０２−２は抵抗Ａ１０６の一方（左側）の端子に接続され、他方（下側）の端子１０２−３は抵抗Ａ１０６の他方（右側）の端子及びパルストランス１１０に接続されている。
切替スイッチ１０３の一方（上側）の端子１０３−２は抵抗Ａ１０７の一方（左側）の端子に接続され、他方（下側）の端子１０３−３は抵抗Ａ１０７の他方（右側）の端子及びパルストランス１１０に接続されている。
切替スイッチ１０４の一方（上側）の端子は抵抗Ｂ１０８の一方（左側）の端子に接続され、他方（下側）の端子は抵抗Ｂ１０８の他方（右側）の端子及びパルストランス１１０に接続されている。
切替スイッチ１０５の一方（上側）の端子１０５−２は抵抗Ｂ１０９の一方（左側）の端子に接続され、他方（下側）の端子１０５−３は抵抗Ｂ１０９の他方（右側）の端子及びパルストランス１１０に接続されている。
【００２３】
抵抗Ａ（１０６、１０７）及び抵抗Ｂ（１０８、１０９）はいずれも無誘導抵抗が用いられる。抵抗Ａ（１０６、１０７）の抵抗値は例えば３３Ωが挙げられる。
【００２４】
図２（ａ）は、図１に示した通信装置に用いられるＬＡＮコントローラ１０１−１のブロック図であり、図２（ｂ）は、図２（ａ）の送信部側の切替スイッチの回路図の一例であり、図２（ｃ）は、図２（ａ）の受信部側の切替スイッチの回路図の一例である。
【００２５】
図２（ａ）に示すＬＡＮコントローラ１０１−１は、エンコーダ１２０、送信部１２３、切替スイッチ１２５、ポートＡ（＋及び−）１２７、ポートＢ（＋及び−）１２８、切替スイッチ１２６、受信部１２４、デコーダ１２１、及びＰＨＹコントローラ１２２で構成されている。
ＰＨＹコントローラ１２２は、図示しないＣＰＵ(central processing unit)、ＲＡＭ(random access memory)、ＲＯＭ(read only memory)、Ｉ／Ｏポート、及びバスラインを有する。
ＬＡＮコントローラ１０１−１内の切替スイッチ１２５、１２６の切替を行うための送受信切替信号の他、各切替スイッチ１０２〜１０５を介して抵抗Ａ（１０６、１０７）、抵抗Ｂ（１０８、１０９）を通る経路もしくは抵抗Ａ（１０６、１０７）、抵抗Ｂ（１０８、１０９）を通らない経路（信号線Ｊ１〜Ｊ４）を切り替えるための送受信切替信号を外部へ出力する。
【００２６】
ここで、ポートＡ（＋及び−）１２７が送信ポートであり、ポートＢ（＋及び−）１２８が受信ポートの場合は、ＰＨＹコントローラ１２２からのＳＷ信号により、切替スイッチ１２５の共通端子１２５−１は上側の端子１２５−２に接続され、切替スイッチ１２６の共通端子１２６−１は下側の端子１２６−３に接続される。
【００２７】
同様に、ポートＡ（＋及び−）１２７が受信ポートであり、ポートＢ（＋及び−）１２８が送信ポートの場合は、ＰＨＹコントローラ１２２からのＳＷ信号により、切替スイッチ１２５の共通端子１２５−１は下側の端子１２５−３に接続され、切替スイッチ１２６の共通端子１２６−１は上側の端子１２６−３に接続される。
【００２８】
［作  用］
図３は、本発明に係る通信装置の動作を説明するためのフローの一例である。
ＬＡＮコントローラ１０１から各切替スイッチ１０２〜１０５に送受信切替信号を出力して共通端子が抵抗側の端子と接続するように選択する（ステップＳ１）。
ＬＡＮコントローラ１０１内でＰＨＹコントローラ１２２から切替スイッチ１２５、１２６に送受信切替信号を出力してポートの送受信切替を設定する。例えば、ポートＡ＋、ポートＡ−を送信側とし、ポートＢ＋、ポートＢ−を受信側とする（ステップＳ２）。
通信装置１００−１がリンク・パルスを検知したか否かを判断する（ステップＳ３）。
【００２９】
ここで、リンク・パルスとは、１０ＢＡＳＥ−Ｔ特有の機能である。データを送信していない状態でも定期的にＴＤ信号上にリンク・パルスと呼ばれるパルス信号を送出することによりセグメントの接続状態を監視するリンク・テスト機能が提供されている。１００ＢＡＳＥ−Ｔ規格では、リンク・パルスの仕様を拡張して１０ＢＡＳＥ−Ｔと１００ＢＡＳＥ−Ｔとの区別が自動的にできる機能がオプションとして採用されている。この機能はオート・ネゴーシエーションまたはＮ−Ｗａｙと呼ばれている。
【００３０】
また、リンク・テストは、１０ＢＡＳＥ−Ｔのセグメントが正しく接続されていることを確認するために設けられている機能であり、１０ＢＡＳＥ−Ｔの特徴の一つである。
１０ＢＡＳＥ−ＴのＭＡＵ(medium attachment unit：ＬＡＮインターフェイスのデジタル情報と、ケーブルを流れる信号とを相互に変換するハードウェア)は、接続を確認するためにＲＤ回路上のフレーム・データ及びリンク・パルスを監視する。もし所定の期間、データもリンク・パルスも受信しなかった場合は、ＭＡＵはリンク・テスト・フェイル状態(link test fail)になる。この待ち時間はリンク・ロス時間(link loss time)と呼ばれ、５０〜１５０ｍｓの間の値と規定されている。
リング・テスト・フェイル状態では、ＴＤ回路及びＤＩ回路ともアイドル状態になるが、フレーム・データを受信するか、またはリンク・パルスを所定回数連続受信すると、リンク・テストのパス状態(link test pass)に以降する。このリンク・パルスの連続受信回数は２回以上１０回以下と規定されている。
【００３１】
図３に示す通信装置１００−１がリンク・パルスを検知していないと判断した場合（ステップＳ３／Ｎ）、現在接続されている抵抗を切替え（ステップＳ４）、リンク・パルスを検知したか否か判断する（ステップＳ５）。
通信装置１００−１がステップＳ５でリンク・パルスを検知しないと判断した場合（ステップＳ５／Ｎ）、ステップＳ２に戻りポートの送受信切替設定を行う。
通信装置１００−１がステップＳ５でリンク・パルスを検知したと判断した場合（ステップＳ５／Ｙ）、通信が確立したことになる。
通信装置１００−１がリンク・パルスを検知したと判断した場合（ステップＳ３／Ｙ）は通信が確立したことになる。
すなわち、リンク・パルスを検知するまで、ポートＡ（＋及び−）、ポートＢ（＋及び−）、抵抗Ａ（１０６、１０７）を通る経路、抵抗Ｂ（１０８、１０９）を通る経路、及び抵抗Ａ（１０６、１０７）、もしくは抵抗Ｂ（１０８、１０９）を通らずにＬＡＮコントローラ１０１−１とパルストランス１１０とを直接接続する経路を組合せることが行われる。
【００３２】
すなわち、本実施の形態は、送信と受信とが切り替わるポートを持ったＬＡＮ用の通信装置の制御方法において、矩形パルスを送受信するための送受信手段の送受信の切替に連動して矩形パルスをなまらせるための抵抗を通る経路もしくは抵抗を通らない経路を選択するものである。
なお、ケーブル等の信号劣化の恐れがある受信時のみに、抵抗値を切り替えることがもっとも望ましい。
【００３３】
本実施形態によれば、異なる信号品質である送信信号と受信信号とが回路を共有する通信装置において、信号品質を確保しつつ最適な電磁波の対策効果が得られる。
【００３４】
＜実施形態２＞
図４（ａ）は、本発明に係る通信装置の他の実施形態を示すブロック図であり、図４（ｂ）は、図４（ａ）に用いられるロータリースイッチの回路図の一例である。
図４に示した通信装置１００−２の図１に示した通信装置１００−１との相違点は、切替スイッチにロータリースイッチを用いた点である。
ロータリースイッチ１３１〜１３４は、通常の機械式のロータリースイッチではなく、図４（ｂ）に示すように複数（図では４個であるが限定されない。）のアナログスイッチを用いて構成される。
【００３５】
すなわち、ロータリースイッチ１３１〜１３４は、一端（図の左側）が一括してポートに接続され、他端（図の右側）が抵抗もしくは信号線にそれぞれ接続され、制御端子に個別に送受信切替信号が入力されるアナログスイッチ１３１ａ〜１３１ｄで構成される。
【００３６】
ロータリースイッチ１３１の共通端子１３１−１にはＬＡＮコントローラ１０１のポートＡ＋が接続され、ロータリースイッチ１３１の一の端子（一番上の端子）１３１−２には抵抗Ａ３（１３５）の一端（左側）が接続されている。ロータリースイッチ１３１の二の端子（二番目の端子）１３１−３には抵抗Ａ２（１３６）の一端（左側）が接続され、三の端子（三番目の端子）１３１−４には抵抗Ａ１（１３７）の一端（左側）が接続されている。ロータリースイッチ１３１の四の端子（四番目の端子）１３１−５には信号線Ｊ１の一端（左側）が接続されている。抵抗Ａ１（１３７）、抵抗Ａ２（１３６）、抵抗Ａ３（１３５）、及び信号線Ｊ１の他端（右側）はパルストランス１１０に一括して接続されている。
【００３７】
ロータリースイッチ１３２〜１３４もロータリースイッチ１３１と同様に、抵抗Ａ１（１４０）、抵抗Ａ２（１３９）、抵抗Ａ３（１３８）、抵抗Ｂ１（１４３）、抵抗Ｂ２（１４２）、抵抗Ｂ３（１４１）、抵抗Ｂ１（１４６）、抵抗Ｂ２（１４５）、抵抗Ｂ３（１４４）、及び信号線Ｊ２〜Ｊ４に接続されている。
【００３８】
抵抗Ａ１（１３７、１４０）〜抵抗Ａ３（１３５、１３８）、抵抗Ｂ１（１４３、１４６）〜抵抗Ｂ３（１４１、１４４）の抵抗値は、０＜抵抗Ａ１＜抵抗Ａ２＜抵抗Ａ３、０＜抵抗Ｂ１＜抵抗Ｂ２＜抵抗Ｂ３であり、かつ抵抗Ａ３が最大値（例えば３３Ω）になるように設定されている。
【００３９】
このような通信装置１００−２においても図１に示した通信装置１００−１と同様な効果が得られるが、信号品質についてより細かく制御することができる。
すなわち、電磁波抑止の抵抗値を大きい値から順次切替ていき、リンク・パルス信号の検知が行えた抵抗値を、そのとき接続されているネットワーク環境の抵抗値と決めるので、無数にあるネットワーク環境に対応した最適な電磁波抑止の対策を安価に実現する事ができる。
【００４０】
＜実施形態３＞
図５は、本発明に係る通信装置の他の実施形態を示すブロック図である。
図５に示した通信装置１００−３の図４に示した通信装置１００−２との相違点は、固定抵抗を用いる代わりに可変抵抗を用いた点である。
可変抵抗Ａ（１５１、１５２）、及び可変抵抗Ｂ（１５３、１５４）は、通常の固体部品ではなく、トランジスタの線形領域を利用した可変抵抗回路である（例えば、特開平０７−００７３８１号公報、特開平１０−２００３７７号公報参照。）。
可変抵抗Ａ（１５１、１５２）、及び可変抵抗Ｂ（１５３、１５４）はＬＡＮコントローラ１０１から個別に送受信切替信号が入力され、抵抗値が制御される。
【００４１】
このような通信装置１００−３においても図１に示した通信装置１００−１と同様な効果が得られるが、信号品質についてよりきめ細かく制御することができる。
すなわち、抵抗値切替における初期抵抗値は電磁波抑止に一番効果的な、抵抗値のもっとも大きな値（例：３３Ω）をセットし、リンク・パルスが検出するまで、順次抵抗値の値を小さくすることで、信号品質を確保する中で、最大限に電磁波抑止が可能な抵抗値を設定することが可能となる。
【００４２】
＜プログラム＞
以上で説明した本発明にかかる通信装置は、コンピュータで処理を実行させるプログラムによって実現されている。コンピュータとしては、例えばマイクロプロセッサなどの汎用的なものが挙げられるが、本発明はこれに限定されるものではない。よって、一例として、プログラムにより本発明を実現する場合の説明を以下で行う。
【００４３】
送信と受信とが切り替わるポートを持ったＬＡＮ用の通信装置を制御するコンピュータとしてのＣＰＵを、
(1)矩形パルスを送受信するための送受信手段、
(2)外部の対抗機と接続するための接続手段、
(3)送受信手段のポートと接続手段との間に設けられ、送受信手段の送受信の切替に連動して矩形パルスをなまらせるための抵抗を通る経路もしくは抵抗を通らない経路を選択する選択手段、
として機能させるプログラムが挙げられる。
【００４４】
これにより、プログラムが実行可能なコンピュータ環境さえあれば、どこにおいても本発明にかかる通信装置を実現することができる。
【００４５】
＜記憶媒体＞
このようなプログラムは、コンピュータに読み取り可能な記憶媒体に記憶されていてもよい。
ここで、記憶媒体としては、例えば、ＣＤ−ＲＯＭ（Compact Disc Read Only Memory）、フレキシブルディスク（ＦＤ）、ＣＤ−Ｒ（CD Recordable）などのコンピュータで読み取り可能な記憶媒体、フラッシュメモリ、ＲＡＭ（Random Access Memory）、ＲＯＭ（Read Only Memory）、ＦｅＲＡＭ（強誘電体メモリ）等の半導体メモリやＨＤＤ（Hard Disc Drive）が挙げられる。
【００４６】
＜効  果＞
電磁波効果が最も効く定数から順次抵抗値を換え、通信を確立する為、信号品質が確保される抵抗値の中で、最大限に電磁波抑止効果が得られる構成を構築することができる。
【００４７】
複数の可変抵抗値を具備し、通信ポートの切替に連動して前記可変抵抗値を切替且つリンク・パルス信号の検知が確立するまで、前記抵抗値を順次切替えることで、ＬＡＮ通信を確立することができる。
【００４８】
可変抵抗値を用いることで、固定抵抗を選択することにより、選択の精度向上が図れる。また、部品点数の削減可能である。
【００４９】
予測不可能な対抗機からの受信信号の信号品質確保が、電磁波抑止対策のネックとなっており、受信信号に対して、調整可能とすることで、受信信号の信号品質確保と電磁波抑止が両立できる。
【００５０】
なお、上述した実施の形態は、本発明の好適な実施の形態の一例を示すものであり、本発明はそれに限定されることなく、その要旨を逸脱しない範囲内において、種々変形実施が可能である。
【符号の説明】
【００５１】
１００−１〜１００−３    通信装置
１０１    ＬＡＮコントローラ
１０２〜１０５、１２５、１２６    切替スイッチ
１０６、１０７    抵抗Ａ
１０８、１０９    抵抗Ｂ
１１０    パルストランス
１１１    ＬＡＮコネクタ
１２０    エンコーダ
１２１    デコーダ
１２２    ＰＨＹコントローラ
１２３    送信部
１２４    受信部
１２７    ポートＡ（＋及び−）
１２８    ポートＢ（＋及び−）
１３１〜１３４    ロータリースイッチ
１３５、１３８    抵抗Ａ３
１３６、１４０    抵抗Ａ２
１３７、１４０    抵抗Ａ１
１４１、１４４    抵抗Ｂ３
１４２、１４５    抵抗Ｂ２
１４３、１４６    抵抗Ｂ１
１５１、１５２    可変抵抗Ａ
１５３、１５４    可変抵抗Ｂ
【先行技術文献】
【特許文献】
【００５２】
【特許文献１】特開平１１−１７７３６８号公報
【図１】
0005402315.tif 000002
【図２】
0005402315.tif 000003
【図３】
0005402315.tif 000004
【図４】
0005402315.tif 000005
【図５】
0005402315.tif 000006
【図６】
0005402315.tif 000007
【図７】
0005402315.tif 000008
【図８】
0005402315.tif 000009
【図９】
0005402315.tif 000010